(57)【要約】【課題】指の爪の短い人でも、あるいは片手だけでも、容易に、蓋部の係合部と軸筒の被係合部との係合を解除し、開口部を開口させることができ、また、筆記体を軸筒内に挿入する際、蓋部の向きに注意する必要がなく、容易に開口部の開口状態を維持できる多芯筆記具を提供する。【解決手段】被係合部９を外部からの押圧によって径方向内方に弾性変形可能に構成する。被係合部９を径方向内方に弾性変形させた際、係合部８と被係合部９との係合が解除されるとともに、前記弾発体５により後方に付勢された筆記体３によって、蓋部６が後方に押圧され開口部２３が開口される。蓋部６を開放方向に付勢するバネ部材７を前記ヒンジ部６１に設ける。【選択図】  図２
2010105212.tif 000002
【特許請求の範囲】
【請求項１】
軸筒内に複数の筆記体を前後方向に移動可能に収容し、前記各々の筆記体を弾発体により後方に付勢し、前記各々の筆記体の後端に操作体を取り付け、前記軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に取り付けられた筆記体のペン先を軸筒の前端孔から突出させるとともに、先に突出状態にあった他の筆記体のペン先を軸筒内に没入させてなり、
前記軸筒の後端に、窓孔を後方に開口させる開口部を設け、前記開口部を介して筆記体及び操作体を、軸筒内から取り外し可能且つ軸筒内に挿入可能に構成し、
前記軸筒の後端部に前記開口部を開閉自在とする蓋部を設け、
前記蓋部の前面に、没入状態の筆記体の操作体が当接可能な当接壁部を形成し、
前記蓋部の一端部をヒンジ部により取り付け、前記蓋部を略前後方向に開閉作動可能とし、
前記蓋部の他端部に係合部を設け、前記軸筒の後端部に前記係合部と係脱自在の被係合部を設けた多芯筆記具であって、
前記被係合部を外部からの押圧によって径方向内方に弾性変形可能に構成し、前記被係合部を径方向内方に弾性変形させた際、前記係合部と前記被係合部との係合が解除されるとともに、前記弾発体により後方に付勢された筆記体によって、前記蓋部が後方に押圧され前記開口部が開口されることを特徴とする多芯筆記具。
【請求項２】
前記蓋部を開放方向に付勢するバネ部材を前記ヒンジ部に設けた請求項１記載の多芯筆記具。
【請求項３】
前記被係合部が、可撓性の本体と、該本体の後端部側壁より径方向外方に突出する外向突起と、該本体の中間部側壁より径方向外方に突出する押圧部とを備えるとともに、前記被係合部が軟質合成樹脂により一体に形成され、前記可撓性の本体の前端部のみが前記軸筒の後端部に固着される請求項１または２記載の多芯筆記具。
【発明の詳細な説明】
【技術分野】
【０００１】
本発明は、多芯筆記具に関する。詳細には、軸筒内に複数の筆記体を収容し、前記各々の筆記体のペン先を軸筒の前端孔より選択的に出没させる多芯筆記具に関する。
【背景技術】
【０００２】
特許文献１には、軸筒の後端に、窓孔を後方に開口させる開閉自在の開口部を設け、前記開口部を介して筆記体及び操作体を、軸筒内から取り外し可能且つ軸筒内に挿入可能に構成し、前記軸筒の後端部に前記開口部を開閉自在とする蓋部を設け、前記蓋部の前面に、没入状態の筆記体の操作体が当接可能な当接壁部を形成し、前記蓋部の一端部をヒンジにより取り付け、前記蓋部の他端部に係合部を設け、前記軸筒の後端部に前記係合部と係脱自在の被係合部を設けた多芯筆記具が記載されている。
【特許文献１】特開２００７−３８６３５号公報
【発明の開示】
【発明が解決しようとする課題】
【０００３】
前記特許文献１の多芯筆記具は、蓋部の係合部と軸筒の被係合部との係合を解除する際、指の爪を蓋部の端部に引っ掛けて蓋部を後方に押圧するものである。しかし、前記特許文献１の多芯筆記具は、指の爪の短い人の場合、蓋部の端部に爪を引っ掛けることができないため、蓋部の係合部と軸筒の被係合部との係合を容易に解除することができず、開口部を開口させることが困難となる。
【０００４】
また、前記特許文献１の多芯筆記具は、蓋部の係合部と軸筒の被係合部との係合を解除する際、通常、両手を用いる。即ち、一方の手に軸筒を持ち且つ他方の手の指先の爪を蓋部に引っ掛けて操作する。そのため、一方の手が塞がっている場合などに、片手だけで、蓋部の係合部と軸筒の被係合部との係合を解除することは困難である。
【０００５】
また、前記特許文献１の多芯筆記具は、ヒンジ部を重力方向の上方に位置させ、且つ、被係合部を重力方向の下方に位置させた場合、重力で蓋部が軸筒後端の開口部を閉鎖し、軸筒内への筆記体の挿入が困難となるおそれがある。そのため、前記特許文献１の多芯筆記具は、筆記体を軸筒内に挿入する際、開口部の開口状態を維持させるよう、蓋部の向き（即ちヒンジ部と被係合部の上下関係）に注意する必要がある。
【０００６】
本発明は、前記従来の問題点を解決するものであって、指の爪の短い人でも、あるいは片手だけでも、容易に、蓋部の係合部と軸筒の被係合部との係合を解除し、開口部を開口させることができ、また、筆記体を軸筒内に挿入する際、蓋部の向きに注意する必要がなく、容易に開口部の開口状態を維持できる多芯筆記具を提供しようとするものである。
尚、本発明において、「前」とはペン先側を指し、「後」とは反対側を指す。
【課題を解決するための手段】
【０００７】
［１］本願の第１の発明は、軸筒２内に複数の筆記体３を前後方向に移動可能に収容し、前記各々の筆記体３を弾発体５により後方に付勢し、前記各々の筆記体３の後端に操作体４を取り付け、前記軸筒２の側壁に前後方向に延びる複数の窓孔２２を径方向に貫設し、前記各々の窓孔２２から径方向外方に前記各々の操作体４を突出させ、一つの操作体４を窓孔２２に沿って前方にスライドさせることにより、その一つの操作体４に取り付けられた筆記体３のペン先３１を軸筒２の前端孔２１から突出させるとともに、先に突出状態にあった他の筆記体３のペン先３１を軸筒２内に没入させてなり、前記軸筒２の後端に、窓孔２２を後方に開口させる開口部２３を設け、前記開口部２３を介して筆記体３及び操作体４を、軸筒２内から取り外し可能且つ軸筒２内に挿入可能に構成し、前記軸筒２の後端部に前記開口部２３を開閉自在とする蓋部６を設け、前記蓋部６の前面に、没入状態の筆記体３の操作体４が当接可能な当接壁部６２を形成し、前記蓋部６の一端部をヒンジ部６１により取り付け、前記蓋部６を略前後方向に開閉作動可能とし、前記蓋部６の他端部に係合部８を設け、前記軸筒２の後端部に前記係合部８と係脱自在の被係合部９を設けた多芯筆記具であって、前記被係合部９を外部からの押圧によって径方向内方に弾性変形可能に構成し、前記被係合部９を径方向内方に弾性変形させた際、前記係合部８と前記被係合部９との係合が解除されるとともに、前記弾発体５により後方に付勢された筆記体３によって、前記蓋部６が後方に押圧され前記開口部２３が開口されることを要件とする。
【０００８】
前記第１の発明の多芯筆記具１は、指の爪の短い人でも、あるいは片手だけでも、容易に、蓋部６の係合部８と軸筒２の被係合部９との係合を解除し、開口部２３を開口させることができる。
【０００９】
［２］本願の第２の発明は、前記第１の発明の多芯筆記具１において、前記蓋部６を開放方向に付勢するバネ部材７を前記ヒンジ部６１に設けたことを要件とする。
【００１０】
前記第２の発明の多芯筆記具１は、蓋部６を開放方向に付勢するバネ部材７をヒンジ部６１に設けたことにより、係合部８と被係合部９との係合が解除されると、バネ部材７の付勢により蓋部６が後方に確実に開放される。その結果、筆記体３を軸筒２内に挿入する際、蓋部６の向き（即ちヒンジ部６１と被係合部９の上下関係）に注意する必要がなく、容易に開口部２３の開口状態を維持できる。
【００１１】
［３］本願の第３の発明は、前記第１または第２の発明の多芯筆記具１において、前記被係合部９が、可撓性の本体９１と、該本体９１の後端部側壁より径方向外方に突出する外向突起９２と、該本体９１の中間部側壁より径方向外方に突出する押圧部９３とを備えるとともに、前記被係合部９が軟質合成樹脂により一体に形成され、前記可撓性の本体９１の前端部のみが前記軸筒２の後端部に固着されることを要件とする。
【００１２】
前記第３の発明の多芯筆記具１は、簡易な構造によって被係合部９を得る。
【発明の効果】
【００１３】
本発明の多芯筆記具は、指の爪の短い人でも、あるいは片手だけでも、容易に、蓋部の係合部と軸筒の被係合部との係合を解除し、開口部を開口させることができる。
【発明を実施するための最良の形態】
【００１４】
図１乃至図３に本発明の実施の形態を示す。
本実施の形態の多芯筆記具１は、軸筒２内に複数本（具体的には２本）の筆記体３が前後方向に移動可能に収容されている。前記各々の筆記体３は、弾発体５（具体的には圧縮コイルスプリング）により、後方に付勢されている。前記筆記体３は、例えば、ボールペン、マーキングペン、シャープペンシル等が挙げられる。また、本発明で、軸筒２内に収容する筆記体３の本数は、２本以上であればよく、前記２本以外にも、３本、４本、５本、６本等が挙げられる。
【００１５】
（軸筒）
前記軸筒２は、円筒状の前軸２ａと、該前軸２ａに着脱自在に螺合される円筒状の後軸２ｂとからなる。前記前軸２ａ及び後軸２ｂは、合成樹脂または金属材料からなる。
【００１６】
前記前軸２ａの前端には、前後方向に前端孔２１が貫設される。前記後軸２ｂの後端部側壁には前後方向に延びる複数の窓孔２２が形成される。前記各々の窓孔２２から各々の筆記体３の操作体４が外部に突出される。前記各々の操作体４を窓孔２２に沿って前方にスライド操作することによって、各々の筆記体３のペン先３１が選択的に前端孔２１より出没される。前記後軸２ｂの窓孔２２相互間の側壁内面には、軸方向に延びるリブよりなる係止壁部が一体に形成される。前記係止壁部に、ペン先突出状態の筆記体３の後端に取り付けられた操作体４の後端が係止される。
【００１７】
前記後軸２ｂの後端には、窓孔２２を後方に切り欠き状に開口する開口部２３が形成される。また、前記後軸２ｂの後端には、前記開口部２３を開閉自在にする蓋部６が設けられる。前記開口部２３を介して、操作体４を備えた筆記体３を軸筒２内に挿入且つ軸筒２内から取り外し可能（交換可能）である。
【００１８】
（蓋部）
前記軸筒２の後端（即ちクリップ２４の基部）には、前記開口部２３を開閉自在にする蓋部６が設けられる。前記蓋部６は、ヒンジ部６１に回動自在に取り付けられる。前記蓋部６の前面には、当接壁部６２が形成される。前記当接壁部６２に、没入状態の筆記体３の後端に取り付けられた各々の操作体４の後端が当接される。前記ヒンジ部６１には、ねじりコイルバネからなるバネ部材７が取り付けられる。前記バネ部材７により、前記蓋部６が常時開放方向に付勢される。前記バネ部材７は、蓋部６を常時開放方向に付勢するものであればいずれでもよく、前記ねじりコイルバネ以外にも、例えば、板バネが挙げられる。
【００１９】
前記蓋部６の前面には、係合部８（具体的には内面に内向突起を備えた係合孔）が設けられ、前記軸筒２（後軸２ｂ）の後端には、前記係合部８と係合可能な被係合部９が設けられる。前記係合部８と前記被係合部９とは、蓋部６が開口部２３を閉鎖した際、互いに係合状態にあり、弾発体５の後方への付勢による操作体４と蓋部６前面の当接壁部６２との当接では、その係合状態は解除されず、蓋部６が開くことはない。
【００２０】
（被係合部）
前記被係合部９は、可撓性の本体９１と、該本体９１の後端部側壁より径方向外方に突出する外向突起９２と、該本体９１の中間部側壁より径方向外方に突出する押圧部９３とが、軟質合成樹脂（例えばゴムやエラストマー）により一体に形成される。前記可撓性の本体９１の前端部のみが軸筒２（後軸２ｂ）の後端部に固着される。前記押圧部９３を径方向内方に押圧操作すると、可撓性の本体９１が径方向内方に弾性変形し、それに伴い、本体９１の後端部の外向突起９２が径方向内方に変位し、蓋部６の係合部８（係合孔内面の内向突起）との係合が解除される。
【００２１】
前記押圧部９３は、軸筒２の後端部側壁より径方向外方に突出され、それにより、指で容易に径方向内方に押圧できる。前記外向突起９２は、開口部２３の閉鎖状態において、係合部８（即ち係合孔内面の内向突起）と乗り越え係止される。前記可撓性の本体９１は、前端部のみが軸筒２の後端部に固着され且つ後端部が自由端となるため、係合突起が容易に径方向内方に変位可能である。尚、押圧部９３は、指で直接押圧しなくてもよく、別部材を介して押圧する構成でもよい。
【００２２】
（作用）
本実施の形態の多芯筆記具１は、軸筒２を片方の手に持ちながら、その片方の手の指で押圧部９３を径方向内方に押圧し、可撓性の本体９１を径方向内方に弾性変形させるとともに、外向突起９２を径方向内方に変位させると、外向突起９２と係合部８（係合孔内面の内向突起）との係合（即ち係合部８と被係合部９との係合）が解除される。そして、前記弾発体５により後方に付勢された筆記体３によって前記蓋部６が後方に押圧されるとともに、ヒンジ部６１のバネ部材７により蓋部６が開放方向に回動し、開口部２３が自動的に開口する。
【図面の簡単な説明】
【００２３】
【図１】本発明の実施の形態の縦断面図である。
【図２】図１の開口部を閉鎖させた状態の側面図及び要部切欠縦断面図である。
【図３】図１の開口部を開口させた状態の側面図及び要部切欠縦断面図である。
【符号の説明】
【００２４】
１  多芯筆記具
２  軸筒
２ａ  前軸
２ｂ  後軸
２１  前端孔
２２  窓孔
２３  開口部
２４  クリップ
３  筆記体
３１  ペン先
４  操作体
５  弾発体
６  蓋部
６１  ヒンジ部
６２  当接壁部
７  バネ部材
８  係合部（内向突起）
９  被係合部
９１  本体
９２  外向突起
９３  押圧部
【図１】
2010105212.tif 000003
【図２】
2010105212.tif 000004
【図３】
2010105212.tif 000005